(57)【要約】【課題】  シャツの胸ポケット等の開口部縁に名札を取り付けた場合でも当該ポケットの開口部縁が垂れ下がらないようにして、名札が正面を向いた状態で取り付けることができるようにするものであって、各種の大きさのポケットに取り付けることができ、更に、取り付けた後のポケットの見かけも見苦しくないようにできる、名札取付補助具及びそれを備えた名札構造体、名札の取付方法を提供する。【解決手段】  名札取付補助具Ｈ１は、拡縮体１と輪ゴム２を備えている。拡縮体１は、可撓性を有する長方形状の二枚の板状体１０，１１を備えている。輪ゴム２は、拡縮体１の長さを縮めたときに復元方向に付勢力を作用させるよう板状体１０，１１に取り付けてある。【選択図】        図１
2006078811.tif 000002
【特許請求の範囲】
【請求項１】
名札などを衣服に取り付ける際に使用する名札取付補助具であって、
両側に当接部を有し、ポケットに入れて前記当接部をポケット内の両側に当接し、当接部の外方に向かう力によって少なくともポケットの開口部縁を張るようにしたことを特徴とする
名札取付補助具。
【請求項２】
名札を衣服に取り付ける際に使用する名札取付補助具であって、
長さが拡縮可能な拡縮体を備えており、当該拡縮体は弾性に抗して長さを縮めたときに復元方向に付勢力が作用し、衣服のポケット内で縮めた状態から拡げることで、当該ポケットの開口部縁を張って固定できるよう構成してあることを特徴とする、
名札取付補助具。
【請求項３】
拡縮体は少なくとも二枚の板状体を備え、弾性体を用いることによって付勢力が生じるよう構成してあることを特徴とする、
請求項２記載の名札取付補助具。
【請求項４】
請求項１，２または３記載の名札取付補助具と、
衣服または名札取付補助具に取り付け可能な名札と、
を備えたことを特徴とする、
名札構造体。
【請求項５】
名札を衣服のポケットに取り付けるときの取付方法であって、
ポケットの少なくとも開口部縁を張った状態にすることを特徴とする、
名札の取付方法。
【発明の詳細な説明】
【技術分野】
【０００１】
本発明は名札（ネームプレート）取付補助具及びそれを備えた名札構造体、名札の取付方法に関する。更に詳しくは、シャツの胸ポケット等の開口部縁に名札を取り付けた場合でも当該ポケットの開口部縁が垂れ下がらないようにして、名札が正面を向いた状態で取り付けることができるようにするものであって、各種の大きさのポケットに取り付けることができ、更に、取り付けた後のポケットの見かけも見苦しくないようにできるものに関する。
【背景技術】
【０００２】
近年、官公庁や企業等では、自分の名前や所属等を記載した名札（ＩＤカードも含む）を身につける習慣が定着しつつある。名札は、胸ポケットの開口部縁にクリップで挟んだり、安全ピンを刺したりして取り付けられることが多い。
【０００３】
しかし、名札を胸ポケットに取り付けると、特にシャツの場合では、布地に腰がないため名札自体の重さによって開口部縁の布地がめくれるように垂れ下がってしまい、見かけがだらしなくなってしまっていた。
【０００４】
また、ケース裏面にクリップが取り付けてある構造の名札の場合では、胸ポケットの開口部縁が垂れ下がることで名札が下方向に傾いたようになるので、記載された名前等が見にくくなるという課題もあった。
【０００５】
特許文献１には、胸ポケットの端部をクリップ付き名札と板とで挟むことで、名札（ネームプレート）が常に正面を向くようにする、クリップ付き名札に取り付ける留め具付き板が開示されている。
【特許文献１】特開平１０−２２８２３９号公報
【発明の開示】
【発明が解決しようとする課題】
【０００６】
しかし、上記した留め具付き板にも、次のような課題があった。
即ち、留め具付き板は大きさが一定であったので、ポケットが小さい場合では入れることができず使用できない。また、ポケットが大きい場合では、留め具付き板を入れた状態で布地がだぶついてしまうので、皺ができて見かけが見苦しくなる。このように上記した留め具付き板は、全ての大きさのポケットに対応することができなかった。
【０００７】
本発明の目的は、シャツの胸ポケット等の開口部縁に名札を取り付けた場合でも当該ポケットの開口部縁が垂れ下がらないようにして、名札が正面を向いた状態で取り付けることができるようにするものであって、各種の大きさのポケットに取り付けることができ、更に、取り付けた後のポケットの見かけも見苦しくない、名札取付補助具及びそれを備えた名札構造体、名札の取付方法を提供することにある。
【課題を解決するための手段】
【０００８】
上記目的を達成するために本発明が講じた手段は次のとおりである。
第１の発明にあっては、
名札などを衣服に取り付ける際に使用する名札取付補助具であって、
両側に当接部を有し、ポケットに入れて前記当接部をポケット内の両側に当接し、当接部の外方に向かう力によって少なくともポケットの開口部縁を張るようにしたことを特徴とする
名札取付補助具である。
【０００９】
第２の発明にあっては、
名札を衣服に取り付ける際に使用する名札取付補助具であって、
長さが拡縮可能な拡縮体を備えており、当該拡縮体は弾性に抗して長さを縮めたときに復元方向に付勢力が作用し、衣服のポケット内で縮めた状態から拡げることで、当該ポケットの開口部縁を張って固定できるよう構成してあることを特徴とする、
名札取付補助具である。
【００１０】
第３の発明にあっては、
拡縮体は少なくとも二枚の板状体を備え、弾性体を用いることによって付勢力が生じるよう構成してあることを特徴とする、
第２の発明に係る名札取付補助具である。
【００１１】
第４の発明にあっては、
第１，第２または第３の発明に係る名札取付補助具と、
衣服または名札取付補助具に取り付け可能な名札と、
を備えたことを特徴とする、
名札構造体である。
【００１２】
第５の発明にあっては、
名札を衣服のポケットに取り付けるときの取付方法であって、
ポケットの少なくとも開口部縁を張った状態にすることを特徴とする、
名札の取付方法である。
【００１３】
名札取付補助具は、例えば、弾性や可撓性を有する合成樹脂製の部材を撓ませてた状態でポケット内に入れて、ポケット内で元の状態に復元するようにしたり、ポケット内に入れた状態で回転させたりしてポケットの開口部縁を張るようにできる。
【００１４】
名札は、例えば、衣服の胸ポケットに取り付けられる。また、名札は、ポケットの開口部縁に、安全ピンを貫通させたり、クリップを挟んだりして取り付けるものを使用することができる。
【００１５】
本発明に係る名札取付補助具が取り付け可能なポケットの種類は、特に限定するものではなく、例えば、シャツ等に多く用いられているパッチポケットや、ジャケットやブレザー等に多く用いられているウエルトポケット等を挙げることができる。
【００１６】
（作  用）
名札取付補助具は、ポケットに入れて当接部をポケット内の両側に当接し、当接部の外方に向かう力によって少なくともポケットの開口部縁を張るようにする。
【００１７】
名札取付補助具は、長さを縮めて復元方向に付勢力させた状態の拡縮体を衣服のポケット内に入れ、その状態から拡げることで当該ポケットの開口部縁を張って固定される。
【発明の効果】
【００１８】
本発明は上記構成を備え、次の効果を有する。
名札取付補助具は、ポケットの開口部縁を張った状態で固定できるので、名札が備えるクリップ等をポケットの開口部縁や名札取付補助具に取り付けた場合でも、開口部縁は名札の重さによっても垂れ下がらず、名札は正面を向いた状態で設けられる。
また、名札取付補助具は、長さが拡縮できるので、各種の大きさのポケットに対応させて取り付けることができる。
更に、ポケットの開口部縁を張った状態で固定できるので、布地に皺がよることもなくポケットの見かけも見苦しくならない。
【発明を実施するための最良の形態】
【００１９】
本発明の実施の形態を図面に基づき更に詳細に説明する。
図１は本発明に係る名札取付補助具の第１の実施の形態を示す斜視説明図である。
名札取付補助具Ｈ１は、スライドして全長の長さが拡縮または伸縮可能な拡縮体１と、拡縮体１の長さを縮めたときに復元方向に付勢力を作用させる弾性体である帯状または紐状の輪ゴム２を備えている。
【００２０】
拡縮体１は、所要の可撓性または変形性を有する長方形状の二枚の板状体１０，１１を備えている。本実施の形態で示す板状体１０，１１は合成樹脂製のものを使用した。板状体１０，１１の略中央より一方の外側寄りの部分には、長さ方向に伸びる長穴１００，１１０が貫通して形成してある。また、略中央より他方の外側寄りの部分は、輪ゴム２が配置される部分となる。更に、この他方側の外縁部には、嵌めた輪ゴム２のずれを防止する切欠部１１１（板状体１０の切欠部は隠れて見えない）が形成してある。
【００２１】
一方の板状体１０の長穴１００を挟んだ上下両側の表面には、凹溝１０２，１０２が長さ方向の略全長にわたり形成してある。凹溝１０２，１０２は切欠部（図では隠れて見えない）が形成してある外縁部まで延びて形成してある。
【００２２】
他方の板状体１１の裏面には、凸条１１２，１１２が上記した凹溝１０２，１０２に嵌合しスライド可能なように略全長にわたり形成してある。
【００２３】
拡縮体１は、一方の板状体１０の凹溝１０２，１０２に、他方の板状体１１の凸条１１２，１１２を嵌め合わせるよう重ねて、この凹溝１０２，１０２と凸条１１２，１１２によって板状体１０，１１のスライド方向が案内（ガイド）されるよう組み合わせてある。このとき板状体１０の表面と板状体１１の裏面は実質的に接した状態であり、隙間は形成されていない。
【００２４】
輪ゴム２は、長穴１００，１１０を塞がないよう板状体１０，１１をずらして拡縮体１の全長を長くした状態で重ねておき、一部を切断して紐状にした状態で長穴１００，１１０と切欠部１１１に通し、再び両端部を熱溶着等によって繋げることで輪状にして取り付けてある。輪ゴム２は、板状体１０，１１との間に弛みがなく、わずかに張った状態になるよう取り付けてある。この状態のとき拡縮体１は、全長が取り付ける胸ポケットの内幅よりも長くなるように設定される。本実施の形態で輪ゴム２は二本使用したが、これは限定するものではなく、十分な付勢力を作用させることができれば、例えば、一本でも良いし、三本またはそれを超える数使用しても良い。
【００２５】
本実施の形態で拡縮体１を構成する板状体１０，１１は合成樹脂製のものを使用したが、これは限定するものではなく、例えば、木材、竹材、金属製のものを使用することもできる。また、拡縮体１は、所要の可撓性または変形性を有する方が望ましいが、これも特に限定するものではない。更に、拡縮体１の形状も板状のものに限定するものではなく、例えば、棒状のもの等、他の形状のものを採用することもできる。
【００２６】
本実施の形態で示す板状体１０，１１は、略中央より一方の外側寄りの部分に長さ方向に伸びる長穴１００，１１０を形成したものを使用した。しかし、板状体の形状はこれに限定するものではなく、例えば、上記した長穴は外縁部まで延ばして形成して、いわば略「コ」字状になるよう形成することもできる。
【００２７】
また、本実施の形態では、拡縮体１の長さを縮めたときに復元方向に付勢力を作用させる手段として輪ゴム２を使用したが、これも限定するものではなく、例えば、輪状でないゴム、板ばねやコイルばね等の各種のバネ（スプリング）等の弾性体を使用することもできるし、磁石や電磁石等の反発力を利用することもできる。
【００２８】
板状体１０，１１のスライド方向を案内する案内手段も特に限定するものではなく、他に例えば、一方の板状体の縁部をフック状に折り曲げ、その内方に他方の板状体がスライド可能に設けたような構造等を採用することもできる。
【００２９】
（作  用）
図２は名札取付補助具を利用して名札を胸ポケットに取り付けた状態を示す使用状態説明図である。
符号４は名札を示している。また、符号Ｐは衣服の胸ポケットを示している。胸ポケットＰは、前布５０をシャツ本体５上に当てて形成されている。名札４は、ケース４０と、ケース４０を胸ポケットＰに取り付けるためのクリップ４１を備えている。この名札４は公知のものを使用したので詳細な説明は省略する。
【００３０】
図１及び図２を参照して、本実施の形態で示す名札取付補助具Ｈ１の使用方法及びその作用を説明する。
名札取付補助具Ｈ１は常態で図１に示す状態を有している。本実施の形態で示す名札取付補助具Ｈ１は、衣服の胸ポケットＰ内に入れて使用される。
【００３１】
名札取付補助具Ｈ１は、板状体１０と板状体１１を輪ゴム２の弾性力に抗しながら互いに内方にスライドさせて、拡縮体１の長さを縮めた状態で胸ポケット内に入れられる。このときの名札取付補助具Ｈ１は、板状体１０の切欠部と板状体１１の切欠部１１１の間の距離が拡がって輪ゴム２が伸びており、復元方向に付勢力が作用した状態となる。
【００３２】
胸ポケットＰ内に入れられた名札取付補助具Ｈ１は、縮めていた状態を解除することにより、輪ゴムの付勢力によって板状体１０と板状体１１が外方に拡がる方向にスライドする。これにより名札取付補助具Ｈ１は胸ポケットの前布５０上縁部（ポケットの開口部縁）を張った状態で固定され、前布は正面を向いた状態になる。このように名札取付補助具Ｈ１は、ポケットの大きさに関係なく取り付けることができる。また、前布５０上縁部を張ることができるのでポケットＰの見かけも見苦しくないようにできる。
【００３３】
名札４は、胸ポケットＰの前布５０上縁部に、前布５０と共に名札取付補助具Ｈ１をクリップ４１で挟んで取り付けられる。名札４は、名札取付補助具Ｈ１によって張った状態の前布５０に取り付けられるので、名札４の重さによっても前布５０は垂れ下がらず、正面を向いた状態で設けられる。
【００３４】
図３は本発明に係る名札取付補助具の第２の実施の形態を示す斜視説明図、
図４は図３に示す名札取付補助具を裏側から見た状態を示す斜視説明図である。
なお、図３及び図４において、上記図１及び図２で示したものと同一または同等箇所には同一の符号を付して示している。また、以下の説明において構造について上記で示した箇所と重複する説明は、必要な事項を除き省略する。
【００３５】
名札取付補助具Ｈ２は、板状体１０ａ，１１ａを備えた拡縮体１ａを有している。板状体１０ａ，１１ａの外方の端側には、略直角に所要幅内方に折り曲げて形成した折曲部１０３，１１３が設けられている。
【００３６】
また、板状体１０ａの裏面の上縁部には、ペン等を挿して保持する保持具３が設けてある。保持具３は、板状体１０ａの略全長にわたって接着して設けてある取付部材３０と、輪状に形成してある挿入部材３１を備えている。本実施の形態で示す取付部材３０と挿入部材３１は面ファスナーで形成してあり、従って挿入部材３１は取り外して取付部材３０の任意の位置に取り付けることが可能である。
【００３７】
（作  用）
図３及び図４を参照して、第２の実施の形態で示す名札取付補助具Ｈ２の作用を説明する。
なお、上記した名札取付補助具Ｈ１と共通する構成により生じる同様の作用、効果については説明を省略し、相違する点についてのみ説明する。
【００３８】
名札取付補助具Ｈ２も衣服の胸ポケットに入れて使用される。名札取付補助具Ｈ２の場合では、胸ポケットに入れて折曲部１０３，１１３が胸ポケットの前布を張ることにより、ポケットの入口に折曲部１０３，１１３の幅分の空間が形成される。従って、この場合では、名札取付補助具Ｈ２を取り付けた状態であっても、胸ポケットからタバコ等の小物の出し入れがスムーズにできる。
【００３９】
また、板状体１０ａには保持具３が設けてあるので、例えば、胸ポケットに取り付けた状態で、挿入部材３１の輪の内にペン等を挿して保持することができる。
【００４０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４１】
【図１】本発明に係る名札取付補助具の第１の実施の形態を示す斜視説明図。
【図２】名札取付補助具を利用して名札を胸ポケットに取り付けた状態を示す使用状態説明図。
【図３】本発明に係る名札取付補助具の第２の実施の形態を示す斜視説明図。
【図４】図３に示す名札取付補助具を裏側から見た状態を示す斜視説明図。
【符号の説明】
【００４２】
Ｈ１，Ｈ２  名札取付補助具
Ｐ  胸ポケット
１，１ａ   拡縮体
１０，１０ａ  板状体
１００  長穴
１０２  凹溝
１０３  折曲部
１１，１１ａ  板状体
１１０  長穴
１１１ 切欠部
１１２  凸条
１１３  折曲部
２  輪ゴム
３  保持具
３０  取付部材
３１  挿入部材
４  名札
４０  ケース
４１  クリップ
５  シャツ
５０  前布
【図１】
2006078811.tif 000003
【図２】
2006078811.tif 000004
【図３】
2006078811.tif 000005
【図４】
2006078811.tif 000006